(57)【特許請求の範囲】
【請求項１】
支持体の片面に粘着剤層を有する粘着シート層と、前記粘着剤層に再貼付可能に貼り合わせられて裏面に記入欄を有する台紙層とを備えた鑑識用粘着シートにおいて、
前記粘着シート層又は前記台紙層の何れか一方には識別情報が付され、他方には前記識別情報を複写元とする複写情報が付されていることを特徴とする鑑識用粘着シート。
【請求項２】
前記粘着シート層と前記台紙層との貼付界面の何れか一方に、前記識別情報が着色成分で形成されていると共に、その着色成分が他方の貼付界面に一部転写されて前記複写情報が形成されている請求項１に記載の鑑識用粘着シート。
【請求項３】
前記粘着シート層又は前記台紙層の何れか一方に前記識別情報が加熱及び／又は加圧により形成されていると共に、他方に含有される感熱成分及び／又は感圧成分によって前記識別情報が複写されて前記複写情報が付されている請求項１に記載の鑑識用粘着シート。
【請求項４】
前記粘着シート層又は前記台紙層の何れか一方に前記識別情報が光照射により形成されていると共に、他方に含有される感光成分及び／又は感熱成分によって前記識別情報が複写されて前記複写情報が付されている請求項１に記載の鑑識用粘着シート。
【請求項５】
支持体の片面に粘着剤層を有する粘着シート層と、前記粘着剤層に再貼付可能で裏面に記入欄を有する台紙層とを貼り合わせる貼付工程を含む鑑識用粘着シートの製造方法において、
前記貼付工程の前又は後に、前記粘着シート層又は前記台紙層の何れか一方に識別情報を付すことによって、他方の前記粘着シート層又は前記台紙層に対して同時に又は経時変化により前記識別情報を複写元とする複写情報を付す工程を含むことを特徴とする鑑識用粘着シートの製造方法。
【発明の詳細な説明】
【技術分野】
【０００１】
本発明は、指紋や足跡、タイヤ跡等の採取に使用するための鑑識用粘着シート、及びその製造方法に関し、特に、指紋・足跡等を採取した後に、証拠となる鑑識用粘着シートの改ざんを防止するための技術に関する。
【背景技術】
【０００２】
従来、指紋や足跡、タイヤ跡等の採取に使用するための鑑識用粘着シートとしては、例えば透明支持フィルムの片面にウレタン系粘着剤を塗布したものが知られている（例えば、特許文献１参照）。
【０００３】
この粘着シートを用いて指紋を採取するためには、まず、採取対象面に粉末を刷毛などで少しずつ塗布し、穂先で軽く払うようにして指紋隆線の部分だけに粉末を付着させて指紋を浮き上がらせる。次いで、粘着シートの一端から剥離紙を兼ねた台紙を剥離して粘着面を採取対象面に当接し、さらに台紙を剥離しながら浮き上がらせた指紋を粘着面に転写させ、その後台紙を再び粘着面に貼り合わせる。最後に、台紙に採取時、採取場所等の必要事項を、台紙の裏面の情報記入欄に記入して、指紋採取を完了する。そして、このような粘着シートは、採取する対象の大きさに応じて、３分割〜９分割に切断して使用される場合があった。
【０００４】
しかしながら、台紙は粘着シートから容易に剥離、再貼付できるものであり、保管時に粘着シートあるいは台紙を意図的に貼り変えることができる。また、台紙が粘着シートから自然に剥離し、粘着シートと台紙とが入り乱れる可能性もあった。
【０００５】
この際、ステープラなどで台紙と粘着シートとを固定してもよいが、この場合にもステープラ針の針穴を合わせて、粘着シート若しくは台紙をすり変えることができる。また、台紙と粘着シートを貼り合わせた状態で他の固定用テープにより両者を固定した場合には、低速で固定用シートを剥離したり、ドライヤー等の熱源を用いて粘着剤を軟化させ剥離することにより、台紙の表面を傷つけることなく、しかも剥離した粘着シートを再貼付可能な状態で剥離することができるため、台紙と粘着シートとが同一に使用されたものであることの証明が困難な場合もあった。
【０００６】
このため、指紋・足跡等を採取した後に、再度台紙が剥離され貼り変えられたことを直ちに判別可能にして、鑑識用粘着シートの証拠能力を高める必要があった。そこで、下記の特許文献２には、支持体の片面に粘着剤層を備えた粘着シート層とこれに再貼付可能に貼り合わせられた台紙層とからなる鑑識用粘着シート本体と、前記粘着シート層と前記台紙層とを貼り合わせた状態で両者を貼着固定する剥離判別用粘着テープとを備えたことを特徴とする鑑識用粘着シートが提案されている。また、剥離判別用粘着テープとして、支持体の片面に形成された皮膜層及びその皮膜層を覆う粘着剤層が備えられ、剥離判別用粘着テープを鑑識用粘着シート本体から剥離した場合に、前記皮膜層及び／又は粘着剤層が剥離判別用粘着テープの支持体から剥離されるものが開示されている。
【０００７】
しかしながら、上記のように剥離判別用粘着テープを鑑識用粘着シート本体に貼着固定する方法では、剥離判別用粘着テープの製造コストの増加に加え、その貼着工程の煩雑さやコスト増加の問題があった。また、指紋等を採取する際に、台紙層から粘着シート層を剥離しても、剥離判別用粘着テープを介して両者が連結されており、剥離判別用粘着テープの存在によって粘着シート層の取扱いに慎重を要するといった使用上の制約があった。更に、鑑識用粘着シート本体を分割・切断して使用する場合には、剥離判別用粘着テープの貼着された切断片のみが、改ざん防止機能を有することになり、鑑識用粘着シートの利用効率が低下するという欠点もあった。
【０００８】
【特許文献１】特開２００１−４０２９９号公報
【特許文献２】特開２００３−８９７７６号公報
【発明の開示】
【発明が解決しようとする課題】
【０００９】
そこで、本発明の目的は、個々の台紙層と粘着シート層とを対応付けることで、コストをほとんど増加させずに証拠の改ざん防止機能を付与でき、しかも剥離した粘着シート層の取扱いの制限がなく、切断使用にも対応することができる鑑識用粘着シート、及びその製造方法を提供することにある。
【課題を解決するための手段】
【００１０】
上記目的は、下記の如き本発明により達成できる。      
即ち、本発明の鑑識用粘着シートは、支持体の片面に粘着剤層を有する粘着シート層と、前記粘着剤層に再貼付可能に貼り合わせられて裏面に記入欄を有する台紙層とを備えた鑑識用粘着シートにおいて、前記粘着シート層又は前記台紙層の何れか一方には識別情報が付され、他方には前記識別情報を複写元とする複写情報が付されていることを特徴とする。
【００１１】
本発明の鑑識用粘着シートによると、粘着シート層又は台紙層の一方に付された識別情報を複写元とする複写情報が他方に付されているため、個々の台紙層と粘着シート層とが対応付けられることにより、証拠の改ざん防止機能を付与することができ、しかも、粘着シート層を台紙層から完全に分離できるので、剥離した粘着シート層の取扱いの制限がない。そして、識別情報を複写元とする複写情報を付す方式をとるため、別途印刷等する工程やその情報を管理する工程が必要なく、コストをほとんど増加させずに証拠の改ざん防止機能を付与できる。更に、鑑識用粘着シートを分割・切断して使用する場合でも、分割領域ごとに識別情報を付すだけで、容易に対応できる。
【００１２】
上記において、前記粘着シート層と前記台紙層との貼付界面の何れか一方に、前記識別情報が着色成分で形成されていると共に、その着色成分が他方の貼付界面に一部転写されて前記複写情報が形成されていることが好ましい。着色成分が他方の貼付界面に一部転写されて複写情報が形成される方式によると、貼付界面の何れか一方に識別情報を印刷等するだけで一部転写によって複写情報が形成されるため、簡易な工程でコスト的に有利に、証拠の改ざん防止機能を付与することができる。特に、着色成分が他方の貼付界面に一部転写されて複写情報が形成されているため、識別情報と着色成分が同じになるなど、複写情報と識別情報との関係がより密接になるため、証拠の改ざんがより行いにくくなる。
【００１３】
あるいは、前記粘着シート層又は前記台紙層の何れか一方に前記識別情報が加熱及び／又は加圧により形成されていると共に、他方に含有される感熱成分及び／又は感圧成分によって前記識別情報が複写されて前記複写情報が付されていることが好ましい。この方式によると、粘着シート層又は台紙層の何れか一方に識別情報を加熱や加圧により形成するだけで、複写情報が付されるため、簡易な工程でコスト的に有利に、証拠の改ざん防止機能を付与することができる。
【００１４】
また、前記粘着シート層又は前記台紙層の何れか一方に前記識別情報が光照射により形成されていると共に、他方に含有される感光成分及び／又は感熱成分によって前記識別情報が複写されて前記複写情報が付されていることが好ましい。この方式によると、粘着シート層又は台紙層の何れか一方に識別情報を光照射により形成するだけで、複写情報が付されるため、簡易な工程でコスト的に有利に、証拠の改ざん防止機能を付与することができる。
【００１５】
一方、本発明の鑑識用粘着シートの製造方法は、支持体の片面に粘着剤層を有する粘着シート層と、前記粘着剤層に再貼付可能で裏面に記入欄を有する台紙層とを貼り合わせる貼付工程を含む鑑識用粘着シートの製造方法において、前記貼付工程の前又は後に、前記粘着シート層又は前記台紙層の何れか一方に識別情報を付すことによって、他方の前記粘着シート層又は前記台紙層に対して同時に又は経時変化により前記識別情報を複写元とする複写情報を付す工程を含むことを特徴とする。
【００１６】
本発明の鑑識用粘着シートの製造方法によると、粘着シート層又は台紙層の何れか一方に識別情報を付すことによって、他方に対しても同時に又は経時変化により複写情報を付す工程を採用するため、個々の台紙層と粘着シート層とが対応付けられることにより、証拠の改ざん防止機能を付与することができ、しかも、得られた粘着シート層を台紙層から完全に分離できるので、剥離した粘着シート層の取扱いの制限がない。特に、識別情報を複写元とする複写情報を付す方式をとるため、別途印刷等する工程やその情報を管理する工程が必要なく、コストをほとんど増加させずに証拠の改ざん防止機能を付与できる。更に、鑑識用粘着シートを分割・切断して使用する場合でも、分割領域ごとに識別情報を付すだけで、容易に対応できるようになる。
【発明を実施するための最良の形態】
【００１７】
以下、本発明の実施の形態について、図面を参照しながら説明する。図１〜図３は、本発明の鑑識用粘着シートの第１実施形態〜第３実施形態を示す断面図である。
【００１８】
本発明の鑑識用粘着シートは、図１〜図３に示すように、支持体１ａの片面に粘着剤層１ｂを有する粘着シート層１と、前記粘着剤層１ｂに再貼付可能に貼り合わせられて裏面に記入欄３を有する台紙層２とを備えるものである。
【００１９】
粘着シート層１は、例えば透明なフィルムからなる支持体１ａのいずれか一方の面に、感圧性粘着剤からなる粘着剤層１ｂが形成されており、採取対象面から浮き上がらせた指紋などを転写させるものである。
【００２０】
支持体１ａは、指紋等の判別が可能な程度の透明性を有していればよいが、透明性が高いほど、指紋等の判別性が向上するため好ましい。支持体１ａとしては、例えばポリエチレンテレフタレートフィルム等のポリエステルフィルムが使用できる。粘着剤層１ｂについても、指紋等の判別が可能な程度の透明性を有していればよいが、透明性が高いほど、指紋等の判別性が向上するため好ましい。
【００２１】
鑑識用粘着シートにおける粘着剤層１ｂとしては、公知の粘着剤が何れも使用できるが、タックが低くいにも係わらず指紋等の凹凸に良好に追従して正確に痕跡の採取が行える観点から、ウレタン系粘着剤を用いたものが好ましい。
【００２２】
台紙層２は、その一方の面が粘着剤層１ｂを再貼付可能なだけの剥離性を有していればよく、また他方の面が記入欄３としての機能を有するものであればよい。このため、台紙層２は、紙を基材とするものに限定されず、単一の着色フィルムなどで構成することも可能である。
【００２３】
好ましい台紙層２としては、例えば、ポリプロピレン製などの合成紙や上質紙、ケント紙等からなる基材層２ｃと、その裏面側に設けられて、記入欄３の印刷や表示が可能な印刷層２ｄと、基材層２ｃの表面側に設けられて黒色又は白色などに着色された印刷層２ｂと、その表面に設けられた剥離層２ａとからなるものが挙げられる。
【００２４】
印刷層２ｂと剥離層２ａとは、１つの層で形成することも可能であり、例えば離型性の黒色又は白色のプラスチックフィルムから構成することができる。記入欄３としては、事件番号や採取日時、立会人氏名等を記入するための表示が挙げられる。
【００２５】
このような鑑識用粘着シートは、特開２００１−４０２９９号公報に記載された鑑識用粘着シートや特開平３−８０８３３号公報に記載された鑑識用粘着シートなど、多数の技術が公知であり、本発明はこれら公知の鑑識用粘着シートの何れにも適用することが可能である。
【００２６】
本発明は、上記のような鑑識用粘着シートにおいて、粘着シート層１又は台紙層２の何れか一方には識別情報１１が付され、他方には識別情報１１を複写元とする複写情報１２が付されていることを特徴とする。
【００２７】
識別情報１１としては、２次元コード、バーコードなどのイメージ情報、文字、記号などのテキスト情報、又はこれらを組合せた複合情報などが挙げられる。本発明では識別情報１１として２次元コードを用いることが好ましく、これによって、５ｍｍ角程度のサイズで１０桁の数の情報の識別が可能となる。
【００２８】
識別情報１１は、１枚の鑑識用粘着シートに対して、少なくとも１つ付されていればよいが、鑑識用粘着シートが分割・切断して使用される場合などに対応できるように、２〜９分割した領域の各々に識別情報１１を付すことが好ましい。
【００２９】
本発明では、粘着シート層１又は台紙層２の何れか一方に識別情報１１を付すことによって、他方に識別情報１１を複写元とする複写情報１２が付されるため、台紙層２に貼付された痕跡採取後の粘着シート層１を、差し替えて改ざんしようとしても、台紙層２に付された識別情報１１又は複写情報１２を復元することが困難であり、証拠の改ざんを効果的に防止することができる。
【００３０】
本発明の鑑識用粘着シートは、本発明の製造方法によって、好適に製造することができる。即ち、本発明の製造方法は、支持体１ａの片面に粘着剤層１ｂを有する粘着シート層１と、前記粘着剤層１ｂに再貼付可能で裏面に記入欄３を有する台紙層２とを貼り合わせる貼付工程を含む鑑識用粘着シートの製造方法において、前記貼付工程の前又は後に、前記粘着シート層１又は前記台紙層２の何れか一方に識別情報１１を付すことによって、他方の前記粘着シート層１又は前記台紙層２に対して同時に又は経時変化により前記識別情報１１を複写元とする複写情報１２を付す工程を含むことを特徴とする。
【００３１】
以下、識別情報１１及び複写情報１２を付す際の構成に関して、本発明の好ましい実施形態を順に説明する。
【００３２】
（第１実施形態）
本発明の第１実施形態に係わる鑑識用粘着シートは、図１に示すように、粘着シート層１と台紙層２との貼付界面の何れか一方に、識別情報１１ａが着色成分で形成されていると共に、その着色成分が他方の貼付界面に一部転写されて前記複写情報１２ａが形成されている。図示した例では、台紙層２側の剥離層２ａの貼付界面に、識別情報１１ａが付されている例を示す。
【００３３】
第１実施形態に係わる鑑識用粘着シートは、粘着シート層１の粘着剤層１ｂ、又は台紙層２の剥離層２ａに、着色成分が経時的に移行するような、着色成分と粘着剤層１ｂ又は剥離層２ａとの組合せを選択しておき、前記の粘着シート層１と前記の台紙層２とを貼り合わせる貼付工程の前に、台紙層２の剥離層２ａ等に識別情報１１ａを着色成分で形成した後、貼付工程を実施することで製造することができる。着色成分で識別情報１１ａを形成する場合、着色成分単体で使用してもよいが、着色成分を含有する組成物を用いてもよい。
【００３４】
一般的に、粘着剤層１ｂの方が剥離層２ａよりも着色成分が移行し易い（溶解／分散・拡散し易い）ため、本実施形態では台紙層２側の剥離層２ａの貼付界面に、識別情報１１ａが付されているのが好ましい。
【００３５】
一般的に、粘着剤層１ｂには、低分子成分が含有されており、これが高分子成分に拡散して膨潤又は相溶した状態になっている。一方、着色成分は、直接に剥離層２ａを着色（染色など）するか、インキ組成物として剥離層２ａに付着することによって着色が可能であるが、いずれの場合でも、着色成分が粘着剤層１ｂの成分とある程度の親和性を有していれば、着色成分が粘着剤層１ｂに一部転写されて複写情報１２ａを形成することができる。即ち、このような親和性を有する場合、着色成分である顔料や染料などは比較的低分子であり、これらの溶解・拡散をブロックするようなバインダーがインキ組成物に含まれていない場合、あるいは粘着剤層１ｂに含まれる低分子成分によって当該バインダーの溶解等が生じる場合には、着色成分が粘着剤層１ｂに経時的に移行する現象が生じる。
【００３６】
例えば、鑑識用粘着シートの粘着剤層１ｂとして多用されているウレタン系粘着剤に対しては、剥離層２ａにインク吐出型印字装置（インクジェットプリンター）で印刷したインク、熱転写型印字装置で印刷したインク、ドットインパクトプリンターで印刷したインクを、溶解・拡散させて、粘着剤層１ｂに複写情報１２ａを形成することができる。
【００３７】
逆に、粘着剤層１ｂの側に予め識別情報１１ａを付する場合、識別情報１１ａを構成する着色成分が、貼付界面付近に高濃度で存在する方が、剥離層２ａに転写し易いため、識別情報１１ａの形成後に早めに貼付工程を実施することが好ましい。
【００３８】
（第２実施形態）
本発明の第２実施形態に係わる鑑識用粘着シートは、図２に示すように、粘着シート層１又は台紙層２の何れか一方に識別情報１１ｂが加熱及び／又は加圧により形成されていると共に、他方に含有される感熱成分及び／又は感圧成分によって識別情報１１ｂが複写されて複写情報１２ｂが付されている。図示した例では、台紙層２側の裏面（上側面）に、識別情報１１ｂが付されている例を示すが、台紙層２側の印刷層２ｂに識別情報１１ｂを付したり、粘着シート層１の側に識別情報１１ｂを付すことも可能である。但し、熱伝導性などを考慮すると、識別情報１１ｂと複写情報１２ｂとは、接近した位置に設けられるのが好ましい。
【００３９】
加熱により識別情報１１ｂを形成する方法としては、熱転写型印字装置で印刷する方法や、台紙層２側にも感熱成分を含有させておきサールマルヘッドを用いて直接印刷する方法が挙げられる。
【００４０】
加圧により識別情報１１ｂを形成する方法としては、ドットプリンターなどでインクを転写印刷する方法や、台紙層２側にも感圧成分を含有させておきドットプリンタヘッドを用いて直接印刷する方法が挙げられる。加熱及び加圧により識別情報１１ｂを形成する方法としては、ドットプリンタヘッドと同様の機構に加熱手段が付設された加熱刻印装置を用いる方法が挙げられる。
【００４１】
粘着シート層１又は台紙層２に含有される感熱成分としては、感熱発色剤（感熱インク）、感熱発泡剤などが挙げられる。このような感熱成分は、支持体１ａや粘着剤層１ｂなどに直接含有させてもよいが、例えば感熱成分を含有する感熱記録紙や感熱フィルムを、所定の大きさ（例えば識別情報のサイズ）にカットして粘着剤層１ｂに貼付する方法によっても、粘着シート層１に含有させることができる。
【００４２】
粘着シート層１又は台紙層２に含有される感圧成分としては、感圧複写紙用マイクロカプセル、感圧インク、感圧塗料、感圧カーボンなどの感圧発色剤などが挙げられる。このような感圧成分は、支持体１ａや粘着剤層１ｂに直接含有させてもよいが、例えば感圧成分を含有する感圧記録紙（ノーカーボン紙）や感圧フィルムを、所定の大きさ（例えば識別情報のサイズ）にカットして粘着剤層１ｂに貼付する方法によっても、粘着シート層１に含有させることができる。
【００４３】
粘着シート層１又は台紙層２の何れか一方に識別情報１１ｂを加熱及び／又は加圧により形成すると、他方に含有される感熱成分及び／又は感圧成分が、発色、変色、又は変形等することによって、識別情報１１ｂが複写されて、複写情報１２ｂが形成される。
【００４４】
（第３実施形態）
本発明の第３実施形態に係わる鑑識用粘着シートは、図３に示すように、粘着シート層１又は台紙層２の何れか一方に識別情報１１ｃが光照射により形成されていると共に、他方に含有される感光成分及び／又は感熱成分によって識別情報１１ｃが複写されて複写情報１２ｃが付されている。図示した例では、粘着シート層１側の粘着剤層１ｂに識別情報１１ｃが付され、台紙層２側の印刷層２ｂに複写情報１２ｃが付されている例を示すが、粘着シート層１側の支持体１ａに識別情報１１ｃを付したり、台紙層２の側に識別情報１１ｃを付すことも可能である。但し、本実施形態では、光の透過性を高める観点から、粘着シート層１の側に識別情報１１ｃを付すことが好ましい。
【００４５】
感光成分によって複写情報１２ｃが形成される場合、識別情報１１ｃと複写情報１２ｃとは隣接させるようにしたり、両者の間に存在する部材に対して、光透過性の開口部を設けておくことが好ましい。
【００４６】
光照射により識別情報１１ｃを形成する方法としては、レーザ光、紫外線、赤外線などの光線を用いて、粘着シート層１の構成材料を発色、変色、又は変形等させる方法や、粘着シート層１側にも感光成分及び／又は感熱成分を含有させておき、光線によってこれらの成分を発色、変色、又は変形等させる方法が挙げられる。
【００４７】
なお、本発明において、識別情報１１および複写情報１２は、顕在化せずに潜在化した記録情報であってもよく、例えば、感光成分を含む層を現像処理して初めて顕在化するような記録であってもよい。その場合、識別情報１１および複写情報１２を非破壊で読み取ることが困難であるため、証拠の改ざんが更に困難となる。
【００４８】
粘着シート層１又は台紙層２に含有される感光成分としては、感光性樹脂、感光性インク、感光性塗料、感光発色剤などが挙げられる。このような感光成分は、支持体１ａや粘着剤層１ｂに直接含有させてもよいが、例えば感光成分を含有する感光記録紙や感光フィルムを、所定の大きさ（例えば識別情報のサイズ）にカットして粘着剤層１ｂに貼付する方法によっても、粘着シート層１に含有させることができる。
【００４９】
また、粘着シート層１を構成する支持体１ａや台紙層２の基材層２ｃを、感光性樹脂シート又は感光発色剤等を含有するシートで構成して、両者の間に開口部を設けておき、潜在化又は顕在化した識別情報１１および複写情報１２を付すようにしてもよい。
【００５０】
粘着シート層１又は台紙層２に含有される感熱成分としては、感熱発色剤（感熱インク）、感熱発泡剤などが挙げられる。
【００５１】
粘着シート層１又は台紙層２の何れか一方に識別情報１１ｃを光照射により形成すると、他方に含有される感光成分が、発色、変色、又は変形等することによって、識別情報１１ｃが複写されて、複写情報１２ｃが形成される。また、光照射により発熱が生じる場合には、感熱成分が、発色、変色、又は変形等することによって、識別情報１１ｃが複写されて、複写情報１２ｃが形成される。
【図面の簡単な説明】
【００５２】
【図１】本発明の鑑識用粘着シートの第１実施形態を示す断面図
【図２】本発明の鑑識用粘着シートの第２実施形態を示す断面図
【図３】本発明の鑑識用粘着シートの第３実施形態を示す断面図
【符号の説明】
【００５３】
１      粘着シート層
１ａ    支持体
１ｂ    粘着剤層
２      台紙層
２ａ    剥離層
２ｂ    印刷層
２ｃ    基材層
２ｄ    印刷層
３      記入欄
１１    識別情報
１２    複写情報
【図１】
0004737616.tif 000002
【図２】
0004737616.tif 000003
【図３】
0004737616.tif 000004